(57)【特許請求の範囲】
【請求項１】
捺印動作と連動して回転する回転蓋を備えた印鑑ケースの前記回転蓋に内蔵され、前記回転蓋が閉蓋状態にある時に前記印鑑ケースに装着された印鑑の印面に接触する朱肉パッドにおいて、前記朱肉パッドは、インキ含浸体に、オープニングが４０μ〜６０μ、メッシュが２７０メッシュ〜３３０メッシュのメッシュ織物からなる表布を積層した２層構造のものであり、前記表布の積層はホットメルト接着剤を用いた加圧加熱による接着又は刺し加工により行い、さらに、前記インキ含浸体には粘度３，０００〜５,０００ｃｐ（２５℃）の朱肉用インキを含浸してあることを特徴とする印鑑ケース用朱肉パッド。
【発明の詳細な説明】
【０００１】
【発明の属する技術分野】
本発明は、捺印動作と連動して回転する回転蓋を備えた印鑑ケースの前記回転蓋に内蔵され、前記回転蓋が閉蓋状態にある時に前記印鑑ケースに装着された印鑑の印面に接触する印鑑ケース用朱肉パッドに関する。
【０００２】
【従来の技術】
三文判等の市販の印鑑を内部に装着し、朱肉パッドを内蔵した回転蓋が閉蓋状態にある時には印鑑の印面に朱肉パッドが接触し、捺印時には捺印動作と連動して回転蓋が回転して開蓋状態となって印面を開放する構成の印鑑ケースは知られており、例えば、実開平５−４１８４４号、実開平５−９１８５８号、実開平６−１２０５６号等に開示されている。
【０００３】
そして、このような構成の印鑑ケースの回転蓋に内蔵される朱肉パッドにはインキ含浸可能なスポンジが使われていたが、このようなスポンジ製の朱肉パッドはインキが必要以上にしみ出して印面にインキが付着し過ぎてしまい、印影が不鮮明になるという問題点があった。このような問題点を解消した印鑑ケース用の朱肉パッドとして、発泡体やフェルト等からなるインキ含浸体に天然繊維や合成繊維等からなる表布を積層したものや、前記したインキ含浸体と不織布からなる調節体と前記した表布を順次積層したものがある。このような構成の朱肉パッドに用いられる表布は一般に天然繊維や合成繊維等の織編物で構成されるもので、インキ含浸体に含浸されたインキは毛細管力により表布に保持され、印鑑ケースに収納された印鑑によって表布に押圧力が加わることにより、表布に保持されたインキが吐出されて印面に付着して捺印できるものである。
【０００４】
【発明が解決しようとする課題】
前記したような表布を備えた朱肉パッドにおいてインキを吐出させるためには、表布にある程度の押圧力を加えないと表布からインキが十分に吐出されないが、この種の印鑑ケースでは、閉蓋状態にある回転蓋の朱肉パッドの表布と印鑑の印面は常時接触しているものの、表布には僅かな押圧力しか加わっておらず、又、捺印時には捺印動作により印鑑が下降して朱肉パッドの表布は押圧されるものの回転蓋が捺印動作と連動して回転するので、捺印動作時においては朱肉パッドの表布には押圧力はほとんど加わらない。このため、インキ含浸体のインキ含浸量が十分な使用初期段階では表布にインキが十分に保持されていることから、朱肉パッドの表布と印面の接触による僅かな押圧力でも表布からインキが均一に吐出されて鮮明な印影を得ることができるが、ある程度の使用期間が経過してインキ含浸体に含浸されているインキ量が減少し始めると毛細管力による表布へのインキの移行量も減少するので、表布と印面の接触による僅かな押圧力では表布からのインキの吐出し量が不足し、印面にインキが十分に付着せず印影が不鮮明になるという問題点があった。
【０００５】
このような問題点を解消しようとする印鑑ケース用の朱肉パッドが特開平７−５２５１０号や特開平７−２２８０３１号に開示されている。この特開平７−５２５１０号や特開平７−２２８０３１号に開示された印鑑ケース用の朱肉パッドでは、表布に単繊維繊度が１デニール以下の極細繊維を用いて毛細管力を強めて表布のインキ保持力を高め、表布からのインキの吐出し性を向上させている。ところが、この極細繊維からなる表布を用いた朱肉パッドを有する印鑑ケースにおいても、インキ含浸体のインキ含浸量が十分な使用初期段階では鮮明な印影を得ることができるものの、ある程度の使用期間が経過すると、表布と印面の接触による僅かな押圧力では表布からのインキの吐出し量が不足して印面にインキが十分に付着しなくなるので、前記した印影が不鮮明になるという問題点は完全に解消されてはいない。
【０００６】
又、朱肉パッドに表布を用いた印鑑ケースにおいて連続捺印をすると、インキ含浸体に含浸されたインキの毛細管力による表布への移行が追いつかず、これにより印鑑の印面に付着するインキの量が不足して印影が不鮮明になるという問題点があった。前記した特開平７−５２５１０号や特開平７−２２８０３１号に開示された印鑑ケース用の朱肉パッドでは表布に極細繊維を用いて毛細管力を強めて表布からのインキの吐出し性を向上させているが、連続捺印をした場合にはやはり印影が不鮮明になることがあり連続捺印性には劣っている。
【０００７】
更に、この種の印鑑ケースでは朱肉パッドへのインキの補充は朱肉パッドの表面から行うのが一般的であり、表布を用いた朱肉パッドでは表布を介してインキ含浸体にインキを補充するととなるが、特に前記した特開平７−５２５１０号や特開平７−２２８０３１号に開示された極細繊維を用いた表布の場合は毛細管力が通常の表布よりも強いために、補充したインキは表布からインキ含浸体にスムーズに移行せずインキ補充に非常に時間がかかるといった問題点があり、又、補充後すぐに印鑑ケースを使用することができないという問題点があった。
【０００８】
そこで、本発明は使用期間や使用方法に左右されず常に鮮明な印影を得ることができ、インキ補充も短時間で行うことができインキ補充後直ぐに印鑑ケースを使用することができる、捺印動作と連動して回転する回転蓋を備えた印鑑ケースに最適な朱肉パッドを提供することを目的とする。
【０００９】
【課題を解決するための手段】
本発明は前記した課題を解決するために、捺印動作と連動して回転する回転蓋を備えた印鑑ケースの前記回転蓋に内蔵され、前記回転蓋が閉蓋状態にある時に前記印鑑ケースに装着された印鑑の印面に接触する朱肉パッドにおいて、前記朱肉パッドは、インキ含浸体に、オープニングが４０μ〜６０μ、メッシュが２７０メッシュ〜３３０メッシュのメッシュ織物からなる表布を積層した２層構造のものであり、前記表布の積層はホットメルト接着剤を用いた加圧加熱による接着又は刺し加工により行い、さらに、前記インキ含浸体には粘度３，０００〜５,０００ｃｐ（２５℃）の朱肉用インキを含浸してあることを特徴とする印鑑ケース用朱肉パッド。
【００１０】
【発明の実施の形態】
以下、本発明の実施の形態を図面を基にして説明する。まず、第１の実施の形態について説明すると、図３においてＡは印鑑ケースであり、この印鑑ケースＡは以下に説明する部品により構成されている。
【００１１】
図３及び図４において、１は上下端面が開口したプラスチック製の中空状の脚枠体であり、この脚枠体１の下部一側面には窓部２を設けてあり、この窓部２の上縁には後述する回転蓋１０を枢着するための小孔を有する一対の支持部３を設けてあり、窓部２を有する側面と連続する対向二側面には窓部２と連通する一対の切欠部４を設けてある。この切欠部４は前記支持部３の小孔を中心とした円周上を切欠いた半円状となっている。
【００１２】
５は下端が開口したプラスチック製の中空状の印鑑保持筒であり、下部側面の対向位置には縦方向に延びる一対の縦溝６を設けてあり、上部側面の対向位置には一対の係止爪７を設けてあり、上端面には円形の孔８を設けてある。この印鑑保持筒５は、孔８側を上向きにして脚枠体１の下端開口より挿入して縦溝６と切欠部４を対向させて脚枠体１の内部に上下動自在に収納するものである。又、この印鑑保持筒５の内部には三文判等の朱肉を必要とする市販の印鑑を着脱自在に保持するための筒状のカツラバネ９を嵌挿してある。このカツラバネ９は上下２ヵ所を内側に突出させた波状をしており、下端には側面の一部を外側に折り曲げて爪部９aを形成してあり、この爪部９aを印鑑保持筒５内の溝部５aに嵌入することにより印鑑保持筒５内に固定されるものである。
【００１３】
１０はプラスチック製の回転蓋で、図１に示すように側板部１１の一側には朱肉用のインキを含浸させた朱肉パッド１２が配設される朱肉皿１６を設けてあり、側板部１１の上縁中央には小孔を有する軸受け部１７を設けてあり、側板部１１の上部両端には内方に突出する突子１８を内面に有する一対のガイド片１９を設けてある。この回転蓋１０の組付けは、脚枠体１の切欠部４と脚枠体１内に収納された印鑑保持筒５の縦溝６を同位置としてガイド片１９の突子１８を切欠部４と縦溝６内に位置させて、その状態で軸受け部１７を脚枠体１の一対の支持部３の間に配置して支持部３の小孔と軸受け部１７の小孔を連通させて、その小孔に軸２０を嵌挿することにより脚枠体１に回転自在に枢着するものである。
【００１４】
そして、回転蓋１０を脚枠体１に枢着した状態では、ガイド片１９の突子１８の周面は切欠部４の切欠面に常時当接し、かつ、突子１８は脚枠体１内に収納された印鑑保持筒５の縦溝６内に常時位置するものとなる。そして、図６に示すように突子１８が縦溝６の下端に当接し、かつ、回転蓋１０の側板部１１が窓部２を閉塞している時、印鑑保持筒５は下端が脚枠体１の下端開口よりも上方に位置し脚枠体１内おいて上方に抜け止めされて最上部に位置することとなり、この時、朱肉皿１６は印鑑保持筒５の下端開口を閉塞し、回転蓋１０は窓部２において脚枠体１内に没入して閉蓋状態となる。尚、回転蓋１０が閉蓋状態にある時、図６に示すようにガイド片１９の突子１８は切欠部４の上部に位置する。
【００１５】
又、図１に示すように、朱肉パッド１２はウレタン、ポリエステル等の発泡体やフェルトからなるインキ含浸体１３と、インキ含浸体１３に積層される不織布からなる調節体１４と、調節体１４に積層されるメッシュ織物からなる表布１５とから構成される３層構造のもので、インキ含浸体１３には粘度３，０００〜５，０００ｃｐ（２５℃）の朱肉用インキを含浸してある。そして、調節体１４を設けたことによりインキ含浸体１３に含浸されたインキは毛細管力により調節体１４に一定量保持されるので、表布１５から吐出されるインキ量は調節体１４により適量に調節されることとなり、又、インキ含浸体１３に含浸されたインキは無駄なく消費される。尚、インキ含浸体１３と調節体１４と表布１５の積層は、ホットメルト接着剤を用いた加圧加熱による接着や刺し加工など公知の手法により行うことができ、この際には、表布１５からのインキの吐出し性に十分留意する。
【００１６】
表布１５として用いられるメッシュ織物は一般にスクリーン印刷用紗として用いられるものであり、メッシュ織物の構造としては図２に示すように経糸と緯糸で囲まれる正方形状の孔１５aが一定の大きさで均等に形成されるように経糸と緯糸を平織組織として織込んであるのが一般的であり、糸の材質としてはポリエステルやナイロンやステンレススチール等がある。メッシュ織物は毛細管力が働かないものであり、インキ含浸体１３に含浸されたインキを保持しないものである。
【００１７】
ここで、本実施の形態における表布１５には、線径３４μ、オープニング５１μのポリエステル製の３００メッシュ織物（日本特殊織物株式会社製、品番ＴＮＯ３００Ｓ）を用いている。線径は糸の太さのことであり、オープニングとは前記した図２に示す経糸と緯糸で囲まれた正方形状の孔１５ａの一辺の長さのことであり、メッシュとは織密度を表す数値で１インチ（２５．４ｍｍ）の間隔に織込まれる糸の本数を示すものである。本実施の形態の３００メッシュ織物であれば、１インチ（２５．４ｍｍ）の間隔に３００本の糸が織込まれたメッシュ織物であることを示す。
【００１８】
そして、メッシュ織物よりなる表布１５からのインキの吐出しは孔１５ａをインキが通過することにより行われるものであり、このインキの吐出しは印鑑の印面が表布１５に接触する程度のほんの僅かな押圧力で十分足りるものである。ここで、本実施の形態では表布１５として線径が３４μ、オープニングが５１μのポリエステル製の３００メッシュ織物を用いているが、これは、前記した粘度３，０００〜５，０００ｃｐ（２５℃）の朱肉用インキを使用した場合において、非常に鮮明な印影を得ることができるインキ吐出し量となるからである。尚、本実施の形態における３層構造の朱肉パッド１２において、良好なインキ吐出し量を得る表布１５として使用できるメッシュ織物としては、オープニングが３０μ〜１２０μ、メッシュが１５０メッシュ〜３９０メッシュの範囲内のものが使用でき、その中でも特にオープニングが４０μ〜６０μ、メッシュが２５０メッシュ〜３５０メッシュの範囲内のものが最も適している。これは、オープニングが３０μより小さくなると、孔１５ａにインキが目詰まりして印面に付着するインキ量が不足してしまうことがあり、オープニングが１２０μより大きくなると、インキの吐出し量が多くなり過ぎて印面にインキが多量に付着してしまい印影にムラやニジミができてしまうからである。尚、表布１５に使用するメッシュ織物のオープニングとメッシュは、朱肉パッド１２のインキ含浸体１３に含浸するインキの粘度に応じて、前記した範囲内において適宜選択することができる。
【００１９】
２１は下端が開口し下部一側を切欠いたプラスチック製の中空状のホルダーで、上部側面の対向位置には印鑑保持筒５の係止爪７に対応する一対の係止孔２２を設けてある。このホルダー２１の組付けは、印鑑保持筒５を内部に収納した脚枠体１の上端面に弾発部材２３を配設した状態で、脚枠体１の上端開口より突出した印鑑保持筒５の係止爪７を係止孔２２に係止させることにより印鑑保持筒５に冠着するもので、これにより、ホルダー２１は脚枠体１の上部外周を覆った状態で印鑑保持筒５と連結されて一体化されるものである。尚、本実施の形態では弾発部材２３としてコイルスプリングを使用している。
【００２０】
そして、ホルダー２１を印鑑保持筒５に冠着した時、図３に示すように弾発部材２３の一端は脚枠体１の上端面に当接し他端はホルダー２１内の環状段部２４に当接して、印鑑保持筒５はホルダー２１と共に常時上方に付勢された状態となり、これにより、印鑑保持筒５は常時脚枠体１内の最上部に位置した状態となり、回転蓋１０は常時閉蓋状態となる。
【００２１】
又、ホルダー２１の上端面中央には円形の孔２５を設けてあり、この孔２５の周縁には上端が開口し外周に雄ねじが形成してある中空状のねじ筒２６を突設してある。そして、このねじ筒２６には、内面に雌ねじが形成され中心に軸部２８を有するプラスチック製の高さ調整部材２７を螺着してあり、図３に示すようにこの高さ調整部材２７の軸部２８は、ねじ筒２６内を貫通して下端がホルダー２１の孔２５と印鑑保持筒５の孔８を介して印鑑保持筒５内に突出している。この高さ調整部材２７を回転させると、高さ調整部材２７の雌ねじとねじ筒２６の雄ねじの螺合により高さ調整部材２７はねじ筒２６に対して上下動し、これにより、軸部２８の下端は印鑑保持筒５内で上下動する。
【００２２】
２９は下端が開口したプラスチック製の中空状のホルダーキャップであり、内側面対向位置には一対の突起３０を設けてあり、この突起３０と、ホルダー２１の上部側面の対向位置に設けられた一対の突起３１を乗り越え嵌合させることにより、ホルダーキャップ２９はホルダー２１の上部に着脱自在に冠着するものである。このホルダーキャップ２９は印鑑保持筒５の上部に設けられた一対の開口部７やホルダー２１のねじ筒２６に螺着された高さ調整部材２７等を覆い隠すものである。
【００２３】
次に、以上のように構成された印鑑ケースＡの使用方法を説明する。まず、印鑑ケースＡに印鑑３２を装着する場合には、ホルダー２１を弾発部材２３の弾発力に抗して押圧して脚枠体１に対して押し下げると、回転蓋１０は印鑑保持筒５により押圧され、この押圧力により回転蓋１０は図６に示すように朱肉皿１６の上面が印鑑保持筒５の下端角部３４に当接しながら脚枠体１の外側方向に回転し、この回転蓋１０の回転と共に印鑑保持筒５は脚枠体１内を下降する。
【００２４】
そして、印鑑保持筒５の下端開口が脚枠体１の下端開口に位置するまでホルダー２１を押し下げると、回転蓋１０は図７に示すようにその朱肉皿１６が窓部２より脚枠体１の外側に完全に突出した状態となるまで回転し、このように回転蓋１０が開蓋状態となった時、印鑑保持筒５の下端開口は開放される。ここで、印鑑保持筒５が脚枠体１内を下降して回転蓋１０が脚枠体１の外側方向に回転する時、図５及び図６及び図７に示すようにガイド片１９の突子１８はその周面が脚枠体１の切欠部４の切欠面に当接しながら切欠部４の下方に移動し、かつ、突子１８は印鑑保持筒５の縦溝６の上方に移動するものであり、印鑑保持筒５の溝部６は回転蓋１０の回転を妨げない大きさに設定されるものである。
【００２５】
そして、図７に示すように回転蓋１０を開蓋状態として印鑑保持筒５の下端開口を開放したら、この状態を保ちながら印鑑保持筒５の下端開口より印鑑３２を挿入して印鑑保持筒５に保持させる。この時、図３に示すように印鑑３２の上端が高さ調整部材２７の軸部２８の下端面に当接するまで印鑑３２を挿入する。尚、印鑑３２の上端が高さ調整部材２７の軸部２８下端面に当接した時、図３に示すように印面３３が印鑑保持筒５の下端開口より下方に若干突出した状態となるようにする。
【００２６】
そして、印鑑３２の上端が高さ調整部材２７の軸部２８下端面に当接したら、ホルダー２１への押圧を解く。すると、印鑑保持筒５は弾発部材２３の弾発力により脚枠体1内を上昇し、これに伴いガイド片１９の突子１８は縦溝６の下端に接近していく。そして、図６に示すように突子１８が縦溝６の下端に当接した後に印鑑保持筒５が脚枠体1内を更に上昇すると、突子１８と縦溝６下端の当接により回転蓋１０はその朱肉皿１６の上面が印鑑保持筒５の下端角部３４に当接しながら脚枠体１の内側方向に回転する。尚、回転蓋１０が脚枠体１の内側方向に回転する時、ガイド片１９の突子１８はその周面が脚枠体１の切欠部４の切欠面に当接しながら切欠部４の上方に移動する（図６→図５参照）。
【００２７】
そして、印鑑保持筒５が最上部に位置した時、回転蓋１０は図５に示すように閉蓋状態となって側板部１１は窓部２を閉塞し、朱肉皿１６は図３に示すように印鑑３２の印面３３を閉塞して印面３３は朱肉パッド１２の表布１５に接触する。この時、表布１５には印面３３の接触による僅かな押圧力が加わり、これにより表布１５からは調節体１４に保持されたインキが孔１５ａを通過してスムーズに吐出されて、印面３３にはインキが均一に付着した状態となる。以上の作業により印鑑３２の装着が完了する。尚、このように印鑑３２を装着した後、高さ調節部材２７を回転させて印面３３の突出量を調整することにより、印面３３と朱肉パッド１２の表布１５の接触状態を調整することができる。
【００２８】
又、本実施の形態における印鑑ケースＡは、図５及び図６及び図７に示すように回転蓋１０が回転する際にその朱肉皿１６上面が当接する印鑑保持筒５の下端角部３４をＲ形状としてあり、回転蓋１０が回転する際にはガイド片１９の突子１８の周面が切欠部４の切欠面に常時当接しているので、回転蓋１０はがたつくことなくスムーズに開閉する。
【００２９】
次に、印鑑ケースＡに装着した印鑑３２を捺印する場合には、脚枠体１を捺印位置に置いて、前記した印鑑取り付け時と同様にホルダー２１を弾発部材２３の弾発力に抗して押圧して押し下げ、印鑑保持筒５を脚枠体１内にて下降させる。すると、回転蓋１０は脚枠体１の外側方向に回転して図７に示すように開蓋状態となり、インキが付着した印面３３が脚枠体１の下端開口より露呈して捺印することができる。尚、捺印前の閉蓋状態における朱肉パッド１２の表布１５と印面３３の接触により、印面３３には表布１５から孔１５ａを通過して吐出されたインキが均一に付着しているので、本実施の形態の印鑑ケースＡに装着した印鑑３２の印影は鮮明なものとなる。
【００３０】
そして、捺印が完了したら前記した印鑑取り付け時と同様にホルダー２１への押圧を解くと、弾発部材２３の弾発力により印鑑保持筒５が脚枠体１内を上昇し、それと連動して回転蓋１０が脚枠体１の内側方向に回転し、印鑑保持筒５が最上部に位置した時、回転蓋１０は図５に示すように閉蓋状態となって側板部１１は窓部２を閉塞し、朱肉皿１６は図３に示すように印鑑３２の印面３３を閉塞して朱肉パッド１２の表布１５に印面３３が接触する。この時、表布１５には印面３３の接触による僅かな押圧力が加わり、これにより表布の孔１５ａからは調節体１４に保持されたインキがスムーズに吐出されて、印面３３には再びインキが均一に付着した状態となる。
【００３１】
又、印鑑ケースＡに装着した印鑑３２の連続捺印を行うと、回転蓋１０が閉塞状態になる度に朱肉パッド１２の表布１５に印面３３が接触して調節体１４に保持されたインキが孔１５ａからスムーズに吐出されて印面３３に均一に付着し、又、調節体１４に保持されたインキの消費に応じてインキ含浸体１３に含浸されたインキが調節体１４にスムーズに移行するので、本実施の形態の印鑑ケースＡに装着した印鑑３２の印影は連続して鮮明なものとなる。
【００３２】
次に、朱肉パッド１２にインキを補充する場合には、朱肉パッド１２の表布１５の表面にインキを滴下して行う。この場合、軸２０を取り外して回転蓋１０を脚枠体１から取り外して表布１５の表面にインキを滴下したり、回転蓋１０を回転した途中の段階（図６）に保持して、脚枠体１の下端開口から朱肉パッド１２の表布１５の表面にインキを滴下する等してインキ補充を行う。そして、表布１５の表面に滴下されたインキは、表布１５の孔１５ａを通過して調節体１４、インキ含浸体１３へと浸透していく。この時、補充したインキは表布１５の孔１５ａを通過するので表布表面に溜まることなくスムーズに調節体１４、インキ含浸体１３へと浸透していく。よって、インキ補充は短時間で行うことができ、又、インキ補充後直ぐに印鑑ケースＡを使用することができる。
【００３３】
尚、ウレタン発泡体からなるインキ含浸体１３と不織布からなる調節体１４とポリエステル製のメッシュ織物（織密度：３００メッシュ、線径：３４μ、オープニング：５１μ）からなる表布１５とから構成される、本実施の形態による３層構造の朱肉パッド１２を備えた印鑑ケースＡと、ウレタン発泡体からなるインキ含浸体と不織布からなる調節体と単繊維繊度が約１デニールのポリエステル繊維を綾織組織とした織物からなる表布とから構成される、従来の３層構造の朱肉パッドを備えた印鑑ケースＢを用意し、両者の朱肉パッドに朱肉用インキとして市販されている「シヤチハタ朱の油」（シヤチハタ株式会社商品名）を含浸した後、両者の印鑑ケースに印鑑を装着して連続捺印性とインキ補充性の試験を行った。その結果は以下の表の通りである。
【００３４】
【表１】
0003860007.tif 000002
【００３５】
試験方法
▲１▼連続捺印回数：印影を目視により観察しながら連続捺印を行い、それにより得られたカスレのない鮮明な印影の数を測定して、その数を連続捺印回数とした。▲２▼インキ補充時間：捺印の都度印影にカスレが生じるようになった時点で、朱肉パッドの表布表面に市販の朱肉用インキ「シヤチハタ朱の油」（シヤチハタ株式会社商品名）を０．１ｇ滴下してそのインキを目視により観察し、そのインキが表布表面から朱肉パッドの下層に完全に移行するまでの時間を計測した。
※印鑑は直径１０ｍｍの円柱状のプラスチック製の三文判を使用した。
【００３６】
次に、本発明の第２の実施の形態として、前記した第１の実施の形態における３層構造の朱肉パッド１２を２層構造の朱肉パッド１２１とした場合について説明する。この朱肉パッド１２１は、図８に示すようにウレタン、ポリエステル等の発泡体やフェルトからなるインキ含浸体１３１に、メッシュ織物からなる表布１５１を積層した２層構造のものであり、表布１５１の積層は、ホットメルト接着剤を用いた加圧加熱による接着や刺し加工など公知の手法により行うことができる。
【００３７】
表布１５１は、線径４０μ、オープニング４６μのナイロン製の３００メッシュ織物（日本特殊織物株式会社製、品番ＮＮＯ３００Ｔ）としており、この表布１５１の構造は前記した実施の形態の表布１５と同様、即ち、図２に示す符号１５を１５１、符号１５ａを１５１ａに置き換えたもので、経糸と緯糸で囲まれる正方形状の孔１５１ａが一定の大きさで均等に形成されるように経糸と緯糸を平織組織として織込んだものである。
【００３８】
そして、インキ含浸体１３１には、前記した第１の実施の形態と同様に粘度３，０００〜５，０００ｃｐ（２５℃）の朱肉用インキを含浸してあり、この２層構造の朱肉パッド１２１を図３に示す印鑑ケースＡの朱肉パッド１２に代えて使用した場合においても、印鑑３２の印面３３には朱肉パッド１２１の表布１５１との接触により、表布１５１の孔１５１ａを通過して吐出されたインキが均一に付着するので、印鑑３２の印影は鮮明なものとなる。又、連続捺印を行った場合においても、回転蓋１０が閉塞状態になる度に朱肉パッド１２１の表布１５１に印面３３が接触してインキ含浸体１３１に含浸されたインキが孔１５１ａからスムーズに吐出されて印面３３に均一に付着するので、連続捺印による印影も鮮明なものとなる。
【００３９】
尚、２層構造の朱肉パッド１２１において、良好なインキ吐出し量を得る表布１５１として使用できるメッシュ織物としては、オープニングが４０μ〜６０μ、メッシュが２７０メッシュ〜３３０メッシュのものが使用でき、その中でも特にオープニングが４５μ〜５０μ、メッシュが３００メッシュのものが最も適している。これは、オープニングが４０μより小さくなると、孔１５ａにインキが目詰まりして印面に付着するインキ量が不足してしまうことがあり、オープニングが６０μより大きくなると、インキの吐出し量が多くなり過ぎて印面にインキが多量に付着してしまい印影にムラやニジミができてしまうからである。尚、表布１５１に使用するメッシュ織物のオープニングとメッシュは、朱肉パッド１２１のインキ含浸体１３１に含浸するインキの粘度に応じて、前記した範囲内において適宜選択することができる。
【００４０】
又、朱肉パッド１２１にインキを補充する場合には、前記した第１の実施の形態と同様に表布１５１の表面にインキを滴下して行うが、補充するインキは表布１５１の孔１５１ａを通過して、表布表面に溜まることなくスムーズにインキ含浸体１３１へと浸透していくので、インキ補充は短時間で行うことができ、インキ補充後直ぐに印鑑ケースを使用することができる。
【００４１】
尚、ウレタン発泡体からなるインキ含浸体１３１とナイロン製のメッシュ織物（織密度：３００メッシュ、線径：４０μ、オープニング：４６μ）からなる表布１５１とから構成される、第２の実施の形態による２層構造の朱肉パッド１２１を備えた印鑑ケースＡ’と、ウレタン発泡体からなるインキ含浸体と単繊維繊度が約１デニールのポリエステル繊維を綾織組織とした織物からなる表布とから構成される、従来の２層構造の朱肉パッドを備えた印鑑ケースＢ’を用意し、両者の朱肉パッドに朱肉用インキとして市販されている「シヤチハタ朱の油」（シヤチハタ株式会社商品名）を含浸した後、両者の印鑑ケースに印鑑を装着して連続捺印性とインキ補充性の試験を、前記した第１の実施の形態と同様の試験方法（段落００３５参照）により行った。その結果は以下の表の通りである。
【００４２】
【表２】
0003860007.tif 000003
【００４３】
【発明の効果】
以上の通り、本発明の印鑑ケース用朱肉パッドは、印鑑ケースに装着した印鑑の印面が表布に接触する程度のほんの僅かな押圧力で表布からインキを均一に吐出すことができ、印鑑ケースに装着した印鑑の印面には常時インキを十分に付着することができるので、常に鮮明な印影を得ることができる。又、回転蓋が閉蓋状態となって印面と表布が接触する度に印面にはインキが確実に付着するので、連続捺印を行った場合においても鮮明な印影を得ることができる。更に、表布の表面からのインキ補充も短時間で行うことができるので、インキ補充後直ぐに印鑑ケースを使用可能とすることができる。
【図面の簡単な説明】
【図１】本発明の第1の実施の形態による朱肉パッドを内蔵した回転蓋の拡大断面図。
【図２】本発明の第1の実施の形態による朱肉パッドに用いられる表布の拡大図。
【図３】本発明の第1の実施の形態による朱肉パッドを内蔵した回転蓋を備えた印鑑ケースの閉蓋状態における正面半断面図。
【図４】図３に示した印鑑ケースの分解斜視図。
【図５】図３に示した印鑑ケースの回転蓋の閉蓋状態を示す説明図。
【図６】図３に示した印鑑ケースの回転蓋の作動状態を示す説明図。
【図７】図３に示した印鑑ケースの回転蓋の開蓋状態を示す説明図。
【図８】本発明の第２の実施の形態による朱肉パッドを内蔵した回転蓋の拡大断面図。
【符号の説明】
Ａ  印鑑ケース
１  脚枠体
２  窓部
３  支持部
４  切欠部
５  印鑑保持筒
６  縦溝
７  係止爪
８  孔
９  カツラバネ
１０  回転蓋
１１  側板部
１２  朱肉パッド
１３  インキ含浸体
１４  調節体
１５  表布
１５ａ  孔
１６  朱肉皿
１７  軸受け部
１８  突子
１９  ガイド片
２０  軸
２１  ホルダー
２２  係止孔
２３  弾発部材
２４  環状段部
２５  孔
２６  ねじ筒
２７  高さ調整部材
２８  軸部
２９  ホルダーキャップ
３０  突起
３１  突起
３２  印鑑
３３  印面
３４  下端角部
１２１  朱肉パッド
１３１  インキ含浸体
１５１  表布
【図１】
0003860007.tif 000004
【図２】
0003860007.tif 000005
【図３】
0003860007.tif 000006
【図４】
0003860007.tif 000007
【図５】
0003860007.tif 000008
【図６】
0003860007.tif 000009
【図７】
0003860007.tif 000010
【図８】
0003860007.tif 000011